(57)【要約】アンテナスプライシング方法、データ送信方法、送信装置およびベースバンド処理装置が開示される。本発明の実施形態では、アンテナ数とアンテナ容量が比較的小さい複数のリモート無線ユニットがスプライスされ、複数のリモート無線ユニットはベースバンド処理ユニットに接続される。スプライシングにより得られた送信装置のアンテナ数は、複数のリモート無線装置のアンテナ数の和である。集積アンテナと比較して、アンテナ容量が比較的小さい複数のリモート無線ユニットがスプライスされるので、アンテナ配置が容易になり、放送サービスの連続したカバレッジが実現でき、放送ビームおよびサービスビームの性能もまた比較的大きく改善される。
2019515524.tif 000002
【特許請求の範囲】
【請求項１】
アンテナスプライシング方法であって、
Ｍ個のリモート無線ユニットＲＲＵを送信アンテナの数がＮt’個の送信装置にスプライシングするステップであり、前記Ｍ個のＲＲＵはそれぞれ、Ｎt1からＮtm個の送信アンテナを含み、Ｎt’は前記Ｎt1からＮtmの和であり、Ｎt’とＮt1からＮtmは１より大きい正の整数である、ステップと、
前記Ｍ個のＲＲＵをベースバンド処理装置に接続するステップと
を含む方法。
【請求項２】
前記Ｎt1からＮtmの数が等しいまたは等しくない、請求項１に記載の方法。
【請求項３】
前記Ｍ個のＲＲＵを送信アンテナの数がＮt’個の送信装置にスプライシングするステップは、
前記Ｍ個のＲＲＵを水平面上に並列に配置するステップ、または
前記Ｍ個のＲＲＵを垂直面上に並列に配置するステップ、または
前記Ｍ個のＲＲＵをＮ1行とＫ1列とを含む行列に配列するステップであり、Ｎ1とＫ1は正の整数であり、Ｍ＝Ｋ1×Ｎ1である、するステップ、または
前記Ｍ個のＲＲＵを三角形に配置するステップ、または
前記Ｍ個のＲＲＵを円形に配置するステップ
を含む、請求項１に記載の方法。
【請求項４】
前記Ｍ個のＲＲＵのアンテナ設置プラットフォームは同一平面上にある、請求項３に記載の方法。
【請求項５】
前記Ｍ個のＲＲＵの前記アンテナのダウンチルトは同じである、請求項３または４に記載の方法。
【請求項６】
前記方法はさらに、
前記Ｍ個のＲＲＵに対してアップリンクとダウンリンクの相反性較正を実行し、較正ウエイトを取得してダウンリンク伝送遅延を揃えるステップを含む、請求項１に記載の方法。
【請求項７】
データ送信方法であって、
前記送信対象データに対しスクランブリング、変調、レイヤマッピング、および／またはプリコーディングを行った後で、送信対象データを仮想アンテナポートにマッピングするステップと、
前記仮想アンテナポートにマップされた前記送信対象データを仮想アンテナマッピングにより物理アンテナポートにマッピングするステップであり、前記物理アンテナポートに対応するＮt’個の送信アンテナは、Ｍ個のリモート無線ユニットＲＲＵをスプライシングすることにより形成され、前記Ｍ個のＲＲＵは各々、Ｎt1からＮtm個の送信アンテナを含み、Ｎt’は前記Ｎt1からＮtmの和であり、Ｎt’とＮt1からＮtmは１より大きい正の整数である、ステップと、
前記送信対象データを前記物理アンテナポートを用いて送信するステップと
を含む方法。
【請求項８】
前記仮想アンテナポートにマップされた前記送信対象データを仮想アンテナマッピングにより物理アンテナポートにマッピングする前記ステップは、
前記仮想アンテナポートにマップされた前記送信対象データを以下の仮想アンテナマッピング式に基づいて前記物理アンテナポートにマッピングするステップを含み、
Ｙj（ｎs、ｋ、ｌ）＝ｗm＊Ｘi（ｎs、ｋ、ｌ）
Ｙj（ｎs、ｋ、ｌ）は各物理アンテナポートから送信される信号であり、ｎsはＬＴＥフレーム構造のタイムスロット番号であり、ｋはサブキャリア番号であり、ｌはタイムスロット番号であり、ｗmはマッピングウェイトであり、Ｘi（ｎs、ｋ、ｌ）はＬＴＥのパイロットまたはデータである、請求項７に記載の方法。
【請求項９】
送信装置であって、前記送信装置はＭ個のリモート無線ユニットＲＲＵをスプライシングすることにより形成されるＮt’個の送信アンテナを含み、前記Ｍ個のＲＲＵは各々、Ｎt1からＮtm個の送信アンテナを含み、Ｎt’は前記Ｎt1からＮtmの和であり、Ｎt’とＮt1からＮtmは１より大きい正の整数であり、前記Ｍ個のＲＲＵはベースバンド処理装置に接続されている、送信装置。
【請求項１０】
前記Ｎt1からＮtmの数が等しいまたは等しくない、請求項９に記載の送信装置。
【請求項１１】
前記Ｍ個のＲＲＵは水平面上に並列に配置される、または
前記Ｍ個のＲＲＵは垂直面上に並列に配置される、または
前記Ｍ個のＲＲＵはＮ1行とＫ1列とを含む行列に配列され、Ｎ1とＫ1は正の整数であり、Ｍ＝Ｋ1×Ｎ1である、または
前記Ｍ個のＲＲＵは三角形に配置される、または
前記Ｍ個のＲＲＵは円形に配置される、請求項９に記載の送信装置。
【請求項１２】
前記Ｍ個のＲＲＵのアンテナ設置プラットフォームは同一平面上にある、請求項１１に記載の送信装置。
【請求項１３】
前記Ｍ個のＲＲＵの前記アンテナのダウンチルトは同じである、請求項１１または１２に記載の送信装置。
【請求項１４】
前記送信装置はさらに、
前記Ｍ個のＲＲＵに対してアップリンクとダウンリンクの相反性較正を実行し、較正ウエイトを取得してダウンリンク伝送遅延を揃えるように構成される較正部を含む、請求項９に記載の送信装置。
【請求項１５】
ベースバンド処理装置であって、
前記送信対象データに対しスクランブリング、変調、レイヤマッピング、および／またはプリコーディングを行った後で、送信対象データを仮想アンテナポートにマップするように構成される処理部であり、
前記処理部はさらに、前記仮想アンテナポートにマップされた前記送信対象データを仮想アンテナマッピングにより物理アンテナポートにマップするように構成され、前記物理アンテナポートに対応するＮt’個の送信アンテナは、Ｍ個のリモート無線ユニットＲＲＵをスプライシングすることにより形成され、前記Ｍ個のＲＲＵは各々、Ｎt1からＮtm個の送信アンテナを含み、Ｎt’は前記Ｎt1からＮtmの和であり、Ｎt’とＮt1からＮtmは１より大きい正の整数である、処理部と、
前記送信対象データを前記物理アンテナポートを用いて送信するように構成される送信部と
を含む装置。
【請求項１６】
前記処理部は具体的に、
前記仮想アンテナポートにマップされた前記送信対象データを以下の仮想アンテナマッピング式に基づいて前記物理アンテナポートにマップするように構成され、
Ｙj（ｎs、ｋ、ｌ）＝ｗm＊Ｘi（ｎs、ｋ、ｌ）
Ｙj（ｎs、ｋ、ｌ）は各物理アンテナポートから送信される信号であり、ｎsはＬＴＥフレーム構造のタイムスロット番号であり、ｋはサブキャリア番号であり、ｌはタイムスロット番号であり、ｗmはマッピングウェイトであり、Ｘi（ｎs、ｋ、ｌ）はＬＴＥのパイロットまたはデータである、請求項１５に記載の装置。
【請求項１７】
ベースバンド処理装置であって、前記装置はプロセッサおよび送信機を含み、
前記プロセッサは、送信対象データを前記送信対象データに対しスクランブリング、変調、レイヤマッピング、および／またはプリコーディングを行った後で、仮想アンテナポートにマップするように構成され、
前記プロセッサはさらに、前記仮想アンテナポートにマップされた前記送信対象データを仮想アンテナマッピングにより物理アンテナポートにマップするように構成され、前記物理アンテナポートに対応するＮt’個の送信アンテナは、Ｍ個のリモート無線ユニットＲＲＵをスプライシングすることにより形成され、前記Ｍ個のＲＲＵは各々、Ｎt1からＮtm個の送信アンテナを含み、Ｎt’は前記Ｎt1からＮtmの和であり、Ｎt’とＮt1からＮtmは１より大きい正の整数であり、
前記送信機は、前記送信対象データを前記物理アンテナポートを用いて送信するように構成される、装置。
【請求項１８】
前記プロセッサは具体的に、
前記仮想アンテナポートにマップされた前記送信対象データを以下の仮想アンテナマッピング式に基づいて前記物理アンテナポートにマップするように構成され、
Ｙj（ｎs、ｋ、ｌ）＝ｗm＊Ｘi（ｎs、ｋ、ｌ）
Ｙj（ｎs、ｋ、ｌ）は各物理アンテナポートから送信される信号であり、ｎsはＬＴＥフレーム構造のタイムスロット番号であり、ｋはサブキャリア番号であり、ｌはタイムスロット番号であり、ｗmはマッピングウェイトであり、Ｘi（ｎs、ｋ、ｌ）はＬＴＥのパイロットまたはデータである、請求項１７に記載の装置。
【発明の詳細な説明】
【技術分野】
【０００１】
本発明は、通信技術の分野に関し、特に、アンテナスプライシング方法、データ送信方法、送信装置およびベースバンド処理装置に関する。
【背景技術】
【０００２】
通信技術の継続的な発展に伴い、人々の無線通信速度に対する要求および無線通信品質に対するさらに厳しい要求がますます高まっている。現在、第２世代（英語：２ｎｄ  Ｇｅｎｅｒａｔｉｏｎ、略して２Ｇ）の技術段階の音声サービスから３Ｇのデータサービス、４Ｇのマルチメディアサービスまで、無線通信速度は指数関数的に向上している。４Ｇと５Ｇの開発段階では、主要技術としてのマルチアンテナ技術が通信開発を支援する役割を果たしている。無線通信システムにおいて、送信端および受信端は、より高い速度を得るために複数のアンテナを使用することによって空間多重化またはダイバーシティ利得を得ることができる。
【０００３】
マルチアンテナ技術は、無線データサービスの増加に対応するための重要な技術である。既存の規格でサポートされているアンテナの最大数はわずか８つのポート（英語：ｐｏｒｔ）であり、水平面上でのビーム形成のみがサポートされている。システム容量をさらに向上させる可能性がさらに高まっている。ロングタームエボリューション（英語：Ｌｏｎｇ  Ｔｅｒｍ  Ｅｖｏｌｕｔｉｏｎ、略してＬＴＥ）、多入力多出力（英語：Ｍｕｌｔｉｐｌｅ−Ｉｎｐｕｔ  Ｍｕｌｔｉｐｌｅ−Ｏｕｔｐｕｔ、略してＭＩＭＯ）技術、特に５Ｇ時代の到来とともに、より多くの空間多重化のユーザが存在し、単一ユーザのサービス量も爆発的に増加する。基地局側の８個のアンテナは、既にサービス要件を満たすには程遠く、基地局側は、ますます高まるサービス要件を満たすために、より多くのアンテナを提供してユーザに対してより多くの多重化ストリームを提供する必要がある。
【０００４】
既存のＬＴＥ技術において、基地局側で送信されるサービスは、主として、２つの部分、すなわち、放送サービスとデータサービスに分けられる。放送サービスは、チャネルの音声および復調のために、ＬＴＥのセル固有の参照信号（英語：Ｃｅｌｌ−Ｓｐｅｃｉｆｉｃ  Ｒｅｆｅｒｅｎｃｅ  Ｓｉｇｎａｌ、略してＣＲＳ）ポートを使用して送信される。放送サービスは、セル内のすべてのユーザを対象としており、セル内のすべてのユーザをカバーするために広いカバレッジが必要である。データサービスは、ユーザを中心とし、チャネルサウンディングは、異なる送信モードに基づいて異なるパイロットを使用することによって実行される。データサービスは、ユーザの高い信号対干渉雑音比（英語：Ｓｉｇｎａｌ  ｔｏ  Ｉｎｔｅｒｆｅｒｅｎｃｅ  ｐｌｕｓ  Ｎｏｉｓｅ、略してＳＩＮＲ）および高基準信号受信電力（英語：Ｒｅｆｅｒｅｎｃｅ  Ｓｉｇｎａｌ  Ｒｅｃｅｉｖｅｄ  Ｐｏｗｅｒ、略してＲＳＲＰ）を確保しつつ、狭い収束データビームをユーザに合わせ、残りのユーザとの干渉を避ける必要がある。したがって基地局側では、放送信号のカバレッジとサービス信号の信頼性の両方を確保する必要がある。
【０００５】
図１ａおよび図１ｂは、既存の１６Ｔ集積アンテナの２つのアンテナトポロジーを示す。図１ａおよび図１ｂにおける垂直面の要素は、２Ｔｘにマップされ、水平面の要素は、８Ｔｘ（デュアル偏光を含む）にマップされ、合計１６Ｔである。３２Ｔ（図１ｃは既存の３２Ｔ集積アンテナのトポロジー図である）および６４Ｔアンテナトポロジーは、１６Ｔアンテナトポロジーに類似している。図面から、集積アンテナの要素が連続的に配置されていることが分かる。これは、複数のアンテナ（１６個以上のアンテナ）が比較的大きなアンテナサイズおよび大きなアンテナ重量を有し、その結果、アンテナの装着シナリオでの配置が困難となる。複数のアンテナは、マクロ局のシナリオでしか装着されることができないため、マイクロ局のような小規模のメトロセルには適していない。一方、アンテナの送信電力は、容量および熱放散の要件によって制限される。アンテナのサイズが大き過ぎると、送信電力が低下し、したがってシステム性能が影響を受ける。
【発明の概要】
【０００６】
本発明の実施形態は、アンテナ配置を容易にし、アンテナアレイの信号カバレッジおよび性能を改善するために、アンテナスプライシング方法、データ送信方法、送信装置およびベースバンド処理装置を提供する。
【０００７】
第１の態様によると、アンテナスプライシング方法が提供される。本方法は、Ｍ個のリモート無線ユニットＲＲＵを送信アンテナの数がＮt’個の送信装置にスプライシングするステップであり、Ｍ個のＲＲＵはそれぞれ、Ｎt1からＮtm個の送信アンテナを含み、Ｎt’はＮt1からＮtmの和であり、Ｎt’とＮt1からＮtmは１より大きい正の整数である、ステップと、Ｍ個のＲＲＵをベースバンド処理装置に接続するステップとを含む。
【０００８】
この実装において、アンテナ数とアンテナ容量が比較的小さい複数のリモート無線ユニットがスプライスされ、複数のリモート無線ユニットはベースバンド処理ユニットに接続される。スプライシングにより得られた送信装置のアンテナ数は、複数のリモート無線装置のアンテナ数の和である。集積アンテナと比較して、アンテナ容量が比較的小さい複数のリモート無線ユニットがスプライスされるので、アンテナ配置が容易になり、放送サービスの連続したカバレッジが実現でき、放送ビームおよびサービスビームの性能もまた比較的大きく改善される。
【０００９】
第１の態様を参照して、第１の可能な実装において、Ｎt1からＮtmの数が等しいまたは等しくない。
【００１０】
この実装において、送信アンテナの数が等しいまたは等しくないリモート無線ユニットはスプライスされ得る。スプライシング方式は柔軟性があり、異なる数の送信アンテナを有する送信装置はスプライシングにより取得可能である。
【００１１】
第１の態様を参照して、第２の可能な実装において、Ｍ個のＲＲＵを送信アンテナの数がＮt’個の送信装置にスプライシングするステップは、Ｍ個のＲＲＵを水平面上に並列に配置するステップ、またはＭ個のＲＲＵを垂直面上に並列に配置するステップ、またはＭ個のＲＲＵをＮ1行とＫ1列とを含む行列に配列するステップであり、Ｎ1とＫ1は正の整数であり、Ｍ＝Ｋ1×Ｎ1である、するステップ、またはＭ個のＲＲＵを三角形に配置するステップ、またはＭ個のＲＲＵを円形に配置するステップを含む。
【００１２】
この実装において、異なる数のリモート無線ユニットは、必要条件に基づき異なる形状にスプライスされてもよく、スプライシング方式は柔軟性がある。
【００１３】
第１の態様の第２の可能な実装を参照して、第３の可能な実装において、Ｍ個のＲＲＵのアンテナ設置プラットフォームは、同一平面上にある。
【００１４】
この実装では、複数のリモート無線ユニットのアンテナ設置プラットフォームは同一平面上にある。これが均一なスプライシングを容易にし、スプライシングによって得られる送信装置をきれいで美しい外観にすることができる。
【００１５】
第１の態様の第２の可能な実装または第１の態様の第３の可能な実装を参照して、第４の可能な実装において、Ｍ個のＲＲＵのアンテナのダウンチルトは同じである。
【００１６】
この実装では、リモート無線ユニットがスプライスされる場合、複数のリモート無線ユニットのダウンチルトは同じである。これが均一なスプライシングを容易にし、スプライシングによって得られる送信装置をきれいで美しい外観にすることができる。
【００１７】
第１の態様を参照して、第５の可能な実装において、方法はさらに、
Ｍ個のＲＲＵに対してアップリンクとダウンリンクの相反性較正を実行し、較正ウエイトを取得してダウンリンク伝送遅延を揃えるステップを含む。
【００１８】
この実装では、アップリンクとダウンリンクの相反性較正を実行し、ダウンリンク伝送遅延を揃えるので、アップリンクとダウンリンクの相反性較正は比較的完全である。
【００１９】
第２の態様によると、データ送信方法が提供される。本方法は、送信対象データに対しスクランブリング、変調、レイヤマッピング、および／またはプリコーディングを行った後で、送信対象データを仮想アンテナポートにマッピングするステップと、仮想アンテナポートにマップされた送信対象データを仮想アンテナマッピングにより物理アンテナポートにマッピングするステップであり、物理アンテナポートに対応するＮt’個の送信アンテナは、Ｍ個のリモート無線ユニットＲＲＵをスプライシングすることにより形成され、Ｍ個のＲＲＵは各々、Ｎt1からＮtm個の送信アンテナを含み、Ｎt’はＮt1からＮtmの和であり、Ｎt’とＮt1からＮtmは１より大きい正の整数である、ステップと、送信対象データを物理アンテナポートを用いて送信するステップとを含む。
【００２０】
この実装では、複数のリモート無線ユニットが送信装置にスプライスされた後で、複数のリモート無線ユニット内の複数の送信アンテナが、仮想アンテナマッピング技術を使用して送信装置の複数の物理アンテナにマップされ、送信信号が複数の物理アンテナに対応する複数の物理アンテナポートから送出される。
【００２１】
第２の態様を参照して、第１の可能な実装において、仮想アンテナポートにマップされた送信対象データを仮想アンテナマッピングにより物理アンテナポートにマッピングするステップは、仮想アンテナポートにマップされた前記送信対象データを以下の仮想アンテナマッピング式に基づいて前記物理アンテナポートにマッピングするステップであり、Ｙj（ｎs、ｋ、ｌ）＝ｗm＊Ｘi（ｎs、ｋ、ｌ）、Ｙj（ｎs、ｋ、ｌ）は各物理アンテナポートから送信される信号であり、ｎsはＬＴＥフレーム構造のタイムスロット番号であり、ｋはサブキャリア番号であり、ｌはタイムスロット番号であり、ｗmはマッピングウェイトであり、Ｘi（ｎs、ｋ、ｌ）はＬＴＥのパイロットまたはデータである、ステップを含む。
【００２２】
第３の態様によると、送信装置が提供される。送信装置は、Ｍ個のリモート無線ユニットＲＲＵをスプライシングすることにより形成されるＮt’個の送信アンテナを含み、Ｍ個のＲＲＵは各々、Ｎt1からＮtm個の送信アンテナを含み、Ｎt’はＮt1からＮtmの和であり、Ｎt’とＮt1からＮtmは１より大きい正の整数である。Ｍ個のＲＲＵはベースバンド処理装置に接続されている。
【００２３】
第４の態様によると、ベースバンド処理装置が提供される。ベースバンド処理装置は、上記の方法でベースバンド処理装置の動作を実現する機能を有する。この機能は、ハードウェアにより実現されてもよいし、対応するソフトウェアを実行するハードウェアによって実現されてもよい。ハードウェアまたはソフトウェアは、前述の機能に対応する１つまたは複数のモジュールを含む。
【００２４】
可能な実装では、ベースバンド処理装置は、送信対象データに対しスクランブリング、変調、レイヤマッピング、および／またはプリコーディングを行った後で、送信対象データを仮想アンテナポートにマップするように構成される処理部であり、処理部はさらに、仮想アンテナポートにマップされた送信対象データを仮想アンテナマッピングにより物理アンテナポートにマップするように構成され、物理アンテナポートに対応するＮt’個の送信アンテナは、Ｍ個のリモート無線ユニットＲＲＵをスプライシングすることにより形成され、Ｍ個のＲＲＵは各々、Ｎt1からＮtm個の送信アンテナを含み、Ｎt’はＮt1からＮtmの和であり、Ｎt’とＮt1からＮtmは１より大きい正の整数である、処理部と、送信対象データを物理アンテナポートを用いて送信するように構成される送信部とを含む。
【００２５】
別の可能な実装では、ベースバンド処理装置は、プロセッサおよび送信機を含む。プロセッサは、送信対象データを前記送信対象データに対しスクランブリング、変調、レイヤマッピング、および／またはプリコーディングを行った後で、仮想アンテナポートにマップするように構成される。プロセッサはさらに、仮想アンテナポートにマップされた送信対象データを仮想アンテナマッピングにより物理アンテナポートにマップするように構成され、物理アンテナポートに対応するＮt’個の送信アンテナは、Ｍ個のリモート無線ユニットＲＲＵをスプライシングすることにより形成され、Ｍ個のＲＲＵは各々、Ｎt1からＮtm個の送信アンテナを含み、Ｎt’はＮt1からＮtmの和であり、Ｎt’とＮt1からＮtmは１より大きい正の整数である。送信機は、送信対象データを物理アンテナポートを用いて送信するように構成される。
【００２６】
本発明の実施形態で所定の提供されるアンテナスプライシング方法、データ送信方法、送信装置およびベースバンド処理装置は、以下の有益な効果を有する。
【００２７】
アンテナ数とアンテナ容量が比較的小さい複数のリモート無線ユニットがスプライスされ、複数のリモート無線ユニットはベースバンド処理ユニットに接続される。スプライシングにより得られた送信装置のアンテナ数は、複数のリモート無線装置のアンテナ数の和である。集積アンテナと比較して、アンテナ容量が比較的小さい複数のリモート無線ユニットがスプライスされるので、アンテナ配置が容易になり、放送サービスの連続したカバレッジが実現でき、放送ビームおよびサービスビームの性能もまた比較的大きく改善される。
【図面の簡単な説明】
【００２８】
本発明の実施形態または現在の技術における技術的解決策をより明確に説明するために、以下、実施形態を説明するために使用される添付図面を簡単に説明する。明らかに、以下の説明における添付図面は、単に本発明のいくつかの実施形態を示しており、当業者は創造的な努力なしにこれらの添付図面から他の図面をなお導出し得る。
【００２９】
【図１ａ】図１ａは、既存の１６Ｔ集積アンテナの２つのアンテナトポロジーを示す図である。
【図１ｂ】図１ｂは、既存の１６Ｔ集積アンテナの２つのアンテナトポロジーを示す図である。
【図１ｃ】図１ｃは、既存の３２Ｔ集積アンテナのトポロジーの図である。
【図２】図２は、本発明の実施形態による送信装置およびベースバンド処理装置のシステム構成図である。
【図３】図３は、本発明の実施形態によるアンテナスプライシング方法の概略フローチャートである。
【図４ａ】図４ａは、本発明の実施形態によるアンテナスプライシングの例の概略図である。
【図４ｂ】図４ｂ、本発明の実施形態によるアンテナスプライシングの例の概略図である。
【図４ｃ】図４ｃは、本発明の実施形態によるアンテナスプライシングの例の概略図である。
【図４ｄ】図４ｄは、本発明の実施形態によるアンテナスプライシングの例の概略図である。
【図４ｅ】図４ｅは、本発明の実施形態によるアンテナスプライシングの例の概略図である。
【図４ｆ】図４ｆは、本発明の実施形態によるアンテナスプライシングの例の概略図である。
【図５】図５は、本発明の実施形態によるＣＲＳビームパターンの例の概略図と、垂直および水平接平面におけるビームカバレッジの概略図である。
【図６】図６は、本発明の実施形態によるデータ送信方法の概略フローチャートである。
【図７Ａ】図７Ａは、本発明の実施形態による仮想アンテナマッピングの例の概略図である。
【図７Ｂ】図７Ｂは、本発明の実施形態による仮想アンテナマッピングの例の概略図である。
【図８】図８は、本発明の実施形態によるベースバンド処理装置の概略構成図である。
【図９】図９は、本発明の実施形態による別のベースバンド処理装置の概略構成図である。
【発明を実施するための形態】
【００３０】
図２は、本発明の実施形態による送信装置およびベースバンド処理装置のシステム構成図である。Ｍ個のリモート無線ユニット（英語：Ｒｅｍｏｔｅ  Ｒａｄｉｏ  Ｕｎｉｔ、略してＲＲＵ）はそれぞれ、Ｎt1からＮtm個の送信アンテナを含み、Ｍ個のＲＲＵは、送信アンテナの個数がＮt'である送信装置にスプライスされる。Ｎt'はＮt1からＮtmの和であり、Ｎt'とＮt1からＮtmは１より大きい正の整数である。Ｍ個のＲＲＵは、光ポートを用いてベースバンド処理装置に接続される。ベースバンド処理装置は、ベースバンド部（英語：Ｂａｓｅｂａｎｄ  Ｕｎｉｔ、略してＢＢＵ）等であってもよい。ベースバンド処理装置は、仮想アンテナマッピング（略称：Ｖｉｒｔｕａｌ  Ａｎｔｅｎｎａ  Ｍａｐｐｉｎｇ、略してＶＡＭ）技術を用いて、Ｍ個のＲＲＵ内のＮt1からＮtm個の送信アンテナを送信装置のＮt'個の物理アンテナにマップし、送信信号をＮt'の物理アンテナポートから送信する。
【００３１】
本発明のこの実施形態では、アンテナ数とアンテナ容量が比較的小さい複数のリモート無線ユニットがスプライスされ、複数のリモート無線ユニットがベースバンド処理ユニットに接続される。スプライシングにより得られた送信装置のアンテナ数は、複数のリモート無線装置のアンテナ数の和である。集積アンテナと比較して、アンテナの容量が比較的小さい複数のリモート無線ユニットがスプライスされるので、アンテナの配置が容易になり、連続した放送サービスのカバレッジを実現することができ、放送ビームとサービスビームの性能も比較的大幅に向上される。
【００３２】
図３は、本発明の実施形態によるアンテナスプライシング方法の概略フローチャートである。本方法は、以下のステップを含む。
【００３３】
Ｓ１０１：Ｍ個のリモート無線ユニットＲＲＵを送信アンテナの数がＮt'である送信装置にスプライスする。
【００３４】
Ｍ個のＲＲＵはそれぞれ、Ｎt1からＮtmの送信アンテナを含み、Ｎt'はＮt1からＮtmの和であり、Ｎt'とＮt1からＮtmは１より大きい正の整数である。
【００３５】
任意選択的に、Ｎt1からＮtmまでの送信アンテナの数は等しくてもまたは等しくなくてもよい。
【００３６】
Ｍ個のＲＲＵを送信アンテナの数がＮt'である送信装置にスプライシングすることは、例を用いて以下に説明される。図４ａから図４ｆは、本発明の実施形態によるアンテナスプライシングの例の概略図である。
【００３７】
図４ａに示すように、２個の８Ｔ  ＲＲＵが１６Ｔ送信装置にスプライスされる。送信装置は、あるいはＲＲＵであってもよい。２個の８Ｔ  ＲＲＵは、水平面上に並列に配置され、２個のＲＲＵのアンテナ設置プラットフォームは同一平面上にあり、ダウンチルトは両方とも１２°であり得る。８Ｔは、垂直面上のポート数と水平面上のポート数との積を表す。図４ａにおいて、ＲＲＵ１およびＲＲＵ２の垂直面上のポート数は１であり、縦方向の要素はポートに接続されている。水平面上のポート数は８であり、すなわち８個の要素のそれぞれがポートに接続される。２個の８Ｔ  ＲＲＵは、ここではスプライシングにより合計１６個の送信アンテナを有し、それによって１６Ｔ  ＲＲＵの機能を実現する。
【００３８】
図４ｂに示すように、２個の１６Ｔ  ＲＲＵが３２Ｔ  ＲＲＵにスプライスされる。２個の１６Ｔ  ＲＲＵは垂直面上に並行して配置され、２個のＲＲＵのダウンチルトは両方とも１０°であり得る。
【００３９】
図４ｃに示すように、４個の１６Ｔ  ＲＲＵが６４Ｔ  ＲＲＵにスプライスされる。４個の１６Ｔ  ＲＲＵは、水平に配置されてもよいし、垂直に配置されてもよい。あるいは、図４ｃに示すように、４個の１６Ｔ  ＲＲＵは、２行２列の長方形に配置し得る。すなわち、Ｍ個のＲＲＵは、Ｎ1、Ｋ1が正の整数であり、Ｍ＝Ｋ1×Ｎ1であるＮ1個の行とＫ1個の列からなる行列に配列される。
【００４０】
図４ｄに示すように、８Ｔ  ＲＲＵおよび４Ｔ  ＲＲＵは１２Ｔ  ＲＲＵにスプライスされ、２個のＲＲＵは水平面上に配置されてもよい。
【００４１】
図４ｅに示すように、３個の８Ｔ  ＲＲＵが２４Ｔ  ＲＲＵにスプライスされ、３個のＲＲＵが三角形内に配置される。
【００４２】
図４ｆに示すように、６個の４Ｔ  ＲＲＵが２４Ｔ  ＲＲＵにスプライスされ、６個のＲＲＵが円の中に配置される。
【００４３】
以上は単に一例であり、任意の数のアンテナを有する送信装置のアンテナスプライシングは、上記のスプライシング形態に限定されない。さらに、上記の例では、Ｍ個のＲＲＵのアンテナ設置プラットフォームは同一平面上にあってもよく、Ｍ個のＲＲＵのアンテナのダウンチルトは同じであってもよい。
【００４４】
送信装置は、比較的小さなアンテナ容量を有するＲＲＵをスプライシングすることによって形成され、したがってアンテナの配置および装着を容易にする。
【００４５】
同じ容量を有する送信装置と比較して、本実施形態の送信装置は、より多くの送信アンテナを含むことができ、したがってより広い信号カバレッジを有することができる。さらに、放送ビームおよびサービスビームが３ｄＢ以上の利得を有することをテストを通して知ることができる。
【００４６】
Ｓ１０２：Ｍ個のＲＲＵをベースバンド処理装置に接続する。
【００４７】
Ｍ個のＲＲＵは、光ポート等を用いてベースバンド処理装置に接続される。ベースバンド処理装置は、Ｍ個のＲＲＵ内のＮt1からＮtm個の送信アンテナを仮想アンテナマッピング技術を用いて送信装置のＮt'個の物理アンテナにマップし、送信信号をＮt'個の物理アンテナポートから送信する。ベースバンド処理装置は、ＢＢＵであってもよい。
【００４８】
任意選択的に、本方法はさらに、以下のステップ、すなわち
Ｍ個のＲＲＵに対しアップリンクおよびダウンリンクの相反性較正を実行し、較正ウエイトを取得してダウンリンク伝送遅延を揃えるステップを含む。
【００４９】
時分割複信（英語：Ｔｉｍｅ  Ｄｉｖｉｓｉｏｎ  Ｄｕｐｌｅｘ、略してＴＤＤ）システムでは、アップリンクチャネルとダウンリンクチャネルが相反的である。しかしながら、相反性は不完全であり、相反性を較正する必要がある。相反性が較正された後でのみ、ダウンリンク伝送遅延を揃えることができる。遅延は、その後ベースバンド処理装置によって実行される仮想アンテナマッピングのマッピングウェイトにも影響を及ぼす。もちろん、アンテナスプライシングの解決策は、ＴＤＤシステムに適用されるだけでなくてもよい。
【００５０】
図５は、本発明の実施形態によるＣＲＳビームパターンの例と、垂直および水平接平面上のビームカバレッジの概略図である。図５の最も左の図は、２個の８Ｔアンテナを１６ＴアンテナにスプライシングするＣＲＳビームパターン、すなわち３Ｄビームパターンを示す。水平面のカバレッジの観点から、２個のアンテナをスプライシングして得られるアンテナのカバレッジは６５度に達し、それによりサービス要件を満足することが図５の３Ｄビームの水平接平面の右端の図から知ることができる。送信電力の観点からは、現在の技術の１倍または２倍の送信電力を達成して、ユーザ装置に対してより良いＳＩＮＲを提供し得、それにより、より優れた性能が得られる。図５の中央部の図は、３Ｄビームの垂直接平面の図である。
【００５１】
本発明のこの実施形態で提供されるアンテナ接続方法によれば、アンテナ数とアンテナ容量が比較的小さい複数のリモート無線ユニットがスプライスされ、複数のリモート無線ユニットはベースバンド処理ユニットに接続される。スプライシングにより得られた送信装置のアンテナ数は、複数のリモート無線装置のアンテナ数の和である。集積アンテナと比較して、アンテナ容量が比較的小さい複数のリモート無線ユニットがスプライスされるので、アンテナ配置が容易になり、放送サービスの連続したカバレッジが実現でき、放送ビームおよびサービスビームの性能もまた比較的大きく改善される。
【００５２】
図６は、本発明の実施形態によるデータ送信方法の概略フローチャートである。本方法は、以下のステップを含む。
【００５３】
Ｓ２０１：送信対象データに対しスクランブリング、変調、レイヤマッピング、および／またはプリコーディングを行った後で、送信対象データを仮想アンテナポートにマップする。
【００５４】
図７Ａおよび図７Ｂに示すように、図７Ａおよび図７Ｂは、本発明の実施形態による仮想アンテナマッピングの例の概略図である。図７Ａおよび図７Ｂは、２個の８Ｔ  ＲＲＵをスプライシングして得られる１６Ｔ送信装置の物理アンテナポートを用いて、ベースバンド処理装置がマッピングを完了することを示している。別のスプライシング方式での仮想アンテナマッピングは、マッピングと同様である。仮想アンテナマッピング技術は、仮想アンテナポートにマップされた送信対象データを物理アンテナポートにマッピングすることである。まず、送信対象データに対しスクランブリング、変調、レイヤマッピング、および／またはプリコーディングを行った後、送信対象データを仮想アンテナポートにマップする。
【００５５】
Ｓ２０２：仮想アンテナポートにマップされた送信対象データを仮想アンテナマッピングにより物理アンテナポートにマップする。
【００５６】
この実施形態では、送信装置は、複数のＲＲＵをスプライスして形成され、すなわち物理アンテナポートに対応するＮt’個の送信アンテナは、Ｍ個のリモート無線ユニットＲＲＵをスプライシングすることにより形成される。Ｍ個のＲＲＵは各々、Ｎt1からＮtm個の送信アンテナを含む。Ｎt’はＮt1からＮtmの和であり、Ｎt’とＮt1からＮtmは１より大きい正の整数である。
【００５７】
仮想アンテナポートにマップされた送信対象データを物理アンテナポートにどのようにマップするかについて、図７Ａおよび図７Ｂを例として用いて具体的に説明する。図７Ａおよび図７Ｂにおいて、送信対象データのストリームがＲＲＵの８個のアンテナを使用して送信装置の８個の物理アンテナポートに対し偏波方向にマップされ、８個のアンテナは異なる送信方向とマッピングウェイトを有してもよい。送信対象データの別のストリームは、別のＲＲＵの８個のアンテナを使用して、送信装置の８つの物理アンテナポートに対し別の偏波方向にマップされ、８個のアンテナは異なる送信方向および異なるマッピング重みを有してもよい。図７Ａおよび図７Ｂにおいて、２つの偏光方向の角度は＋４５°と−４５°である。
【００５８】
具体的には、仮想アンテナポートにマップされた送信対象データは、以下の仮想アンテナマッピング式（１）に基づいて物理アンテナポートにマップされる。  
Ｙj（ｎs、ｋ、ｌ）＝ｗm＊Ｘi（ｎs、ｋ、ｌ）      式（１）
【００５９】
Ｙj（ｎs、ｋ、ｌ）は各物理アンテナポートから送信される信号であり、ｎsはＬＴＥフレーム構造のタイムスロット番号、すなわちスロット番号であり、ｋはサブキャリア番号であり、ｌはタイムスロット番号であり、ｗmはマッピングウェイトであり、Ｘi（ｎs、ｋ、ｌ）はＬＴＥのパイロットまたはデータ、すなわちＣＲＳポートの信号値である。ＣＲＳポートの信号値は、基地局側で決定され、設定される。
【００６０】
図７Ａおよび図７Ｂの例に対応する仮想アンテナマッピング式は、式（２）である。
【００６１】
【数１】
2019515524.tif 000003
【００６２】
この例において、ｊ＝０〜１５であり、２つのコードワードストリームがある場合、ｉ＝０〜１であり、［ｗ0  ｗ1  ｗ2  ｗ3］＝［１  ０．９７０８  −０．２０６０］である。マッピングウェイトは、ビーム形状に影響を与え、ビーム幅を６５度以内に制限し、プログラムを検索することによって得られる。もちろん、別のマッピングウェイトを代用してもよい。
【００６３】
式（２）において、マッピングウェイト行列の２つの列は、２つのデータストリームのマッピングウェイトを表す。各列の最初の８行および最後の８行は、ＲＲＵの８個のアンテナのマッピングウェイトを別個に表す。
【００６４】
Ｓ２０３：送信対象データを物理アンテナポートを用いて送信する。
【００６５】
仮想アンテナポートから物理アンテナポートにマップされた後、送信対象データは物理アンテナポートから送出される。
【００６６】
本発明のこの実施形態で提供されるデータ送信方法によれば、複数のリモート無線ユニットが送信装置にスプライスされた後、複数のリモート無線ユニット内の複数の送信アンテナが仮想アンテナマッピング技術を用いて送信装置の複数の物理アンテナにマップされ、送信信号が複数の物理アンテナに対応する複数の物理アンテナポートから送出される。
【００６７】
簡単な説明のために、前述の方法の実施形態は、一連の動作として表されることに留意されたい。しかしながら、本発明によれば、いくつかのステップが他の順序で、または同時に実行され得るため、当業者は、本発明が記述された動作の順序に限定されないことを理解されたい。加えて、当業者であれば、明細書に記載されたすべての実施形態が好ましい実施形態であり、関連する動作およびモジュールは必ずしも本発明に必須ではないことを理解されたい。
【００６８】
本発明の実施形態は、送信装置を提供する。送信装置は、Ｍ個のリモート無線ユニットＲＲＵをスプライシングすることによって形成されたＮt’個の送信アンテナを含む。Ｍ個のＲＲＵは各々、Ｎt1からＮtm個の送信アンテナを含み、Ｎt’はＮt1からＮtmの和であり、Ｎt’とＮt1からＮtmは１より大きい正の整数である。Ｍ個のＲＲＵは、ベースバンド処理装置に接続される。
【００６９】
任意選択的に、Ｎt1からＮtm個の送信アンテナの数は、等しくてもまたは等しくなくてもよい。
【００７０】
任意選択的に、Ｍ個のＲＲＵは、水平面上に並列に配置される。
【００７１】
あるいは、Ｍ個のＲＲＵは、垂直面上に並列に配置される。
【００７２】
あるいは、Ｍ個のＲＲＵは、Ｎ1行とＫ1列とを含む行列に配列され、Ｎ1とＫ1は正の整数であり、Ｍ＝Ｋ1×Ｎ1である。
【００７３】
あるいは、Ｍ個のＲＲＵは三角形に配置される。
【００７４】
あるいは、Ｍ個のＲＲＵは円形に配置される。
【００７５】
任意選択的に、Ｍ個のＲＲＵのアンテナ設置プラットフォームは、同一平面上にあってもよい。
【００７６】
任意選択的に、Ｍ個のＲＲＵのアンテナのダウンチルトは、同じであってもよい。
【００７７】
送信装置は、比較的小さなアンテナ容量を有するＲＲＵをスプライシングすることによって形成され、したがってアンテナの配置および装着を容易にする。
【００７８】
同じ音量を有する送信装置と比較して、本実施形態で提供される送信装置は、より多くの送信アンテナを含むことができ、したがってより広い信号カバレッジを有することができる。さらに、放送ビームおよびサービスビームが３ｄＢ以上の利得を有することをテストを通して知ることができる。
【００７９】
Ｍ個のＲＲＵは、光ポートなどを用いてベースバンド処理装置に接続される。ベースバンド処理装置は、Ｍ個のＲＲＵ内のＮt1からＮtmの送信アンテナを仮想アンテナマッピング技術を用いて送信装置のＮt’個の物理アンテナにマップし、送信信号をＮt’個の物理アンテナポートから送信する。ベースバンド処理装置は、ＢＢＵであってもよい。
【００８０】
任意選択的に、送信装置はさらに、
Ｍ個のＲＲＵに対してアップリンクとダウンリンクの相反性較正を実行し、較正ウエイトを取得してダウンリンク伝送遅延を揃えるように構成された較正ユニットを含み得る。
【００８１】
ＴＤＤシステムでは、アップリンクチャネルとダウンリンクチャネルが相反的である。しかしながら、相反性は不完全であり、相反性を較正する必要がある。相反性が較正された後でのみ、ダウンリンク伝送遅延を揃えることができる。遅延は、その後ベースバンド処理装置によって実行される仮想アンテナマッピングのマッピングウェイトにも影響を及ぼす。もちろん、アンテナスプライシングの解決策は、ＴＤＤシステムに適用されるだけでなくてもよい。
【００８２】
図５は、本発明の実施形態によるＣＲＳビームパターンの例と、垂直および水平接平面上のビームカバレッジの概略図である。図５の最も左の図は、２個の８Ｔアンテナを１６ＴアンテナにスプライシングするＣＲＳビームパターン、すなわち３Ｄビームパターンを示す。水平面のカバレッジの観点から、２個のアンテナをスプライシングして得られるアンテナのカバレッジは６５度に達し、それによりサービス要件を満足することが図５の３Ｄビームの水平接平面の右端の図から知ることができる。送信電力の観点からは、現在の技術の１倍または２倍の送信電力を達成して、ユーザ装置に対してより良いＳＩＮＲを提供し得、それにより、より優れた性能が得られる。図５の中央部の図は、３Ｄビームの垂直接平面の図である。
【００８３】
本発明のこの実施形態で提供される送信装置によれば、アンテナ数とアンテナ容量が比較的小さい複数のリモート無線ユニットがスプライスされ、複数のリモート無線ユニットはベースバンド処理ユニットに接続される。スプライシングにより得られた送信装置のアンテナ数は、複数のリモート無線装置のアンテナ数の和である。集積アンテナと比較して、アンテナ容量が比較的小さい複数のリモート無線ユニットがスプライスされるので、アンテナ配置が容易になり、放送サービスの連続したカバレッジが実現でき、放送ビームおよびサービスビームの性能もまた比較的大きく改善される。
【００８４】
図８は、本発明の実施形態によるベースバンド処理装置の概略構成図である。ベースバンド処理装置２０００は、処理部２１および送信部２２を含む。
【００８５】
処理部２１は、スクランブリング、送信対象データに対して変調、レイヤマッピング、および／またはプリコーディングを行った後に、送信対象データを仮想アンテナポートにマップするように構成されている。
【００８６】
図７Ａおよび図７Ｂに示すように、図７Ａおよび図７Ｂは、本発明の実施形態による仮想アンテナマッピングの例の概略図である。図７Ａおよび図７Ｂは、ベースバンド処理装置が、２個の８Ｔ  ＲＲＵをスプライシングして得られる１６Ｔ送信装置の物理アンテナポートを用いて、マッピングを完了することを示す。別のスプライシング方式での仮想アンテナマッピングは、そのマッピングと同様である。仮想アンテナマッピング技術は、物理アンテナポートに、仮想アンテナポートにマップされた送信対象データをマッピングすることである。処理部２１は具体的には、送信対象データに対してスクランブリング、変調、レイヤマッピング、および／またはプリコーディングを行った後に、送信対象データを仮想アンテナポートにマップするように構成される。
【００８７】
処理部２１はさらに、仮想アンテナポートにマップされた送信対象データを仮想アンテナマッピングにより物理アンテナポートにマップするように構成される。
【００８８】
この実施形態では、送信装置は、複数のＲＲＵをスプライスして形成され、すなわち物理アンテナポートに対応するＮt’個の送信アンテナは、Ｍ個のリモート無線ユニットＲＲＵをスプライシングすることにより形成される。Ｍ個のＲＲＵは各々、Ｎt1からＮtm個の送信アンテナを含む。Ｎt’はＮt1からＮtmの和であり、Ｎt’とＮt1からＮtmは１より大きい正の整数である。
【００８９】
仮想アンテナポートからの送信対象データを物理アンテナポートにどのようにマップするかについて、図７Ａおよび図７Ｂを例として用いて具体的に説明する。図７Ａおよび図７Ｂにおいて、送信対象データのストリームがＲＲＵの８個のアンテナを使用して送信装置の８個の物理アンテナポートに対し偏波方向にマップされ、８個のアンテナは異なる送信方向とマッピングウェイトを有してもよい。送信対象データの別のストリームは、別のＲＲＵの８個のアンテナを使用して、送信装置の８つの物理アンテナポートに対し別の偏波方向にマップされ、８個のアンテナは異なる送信方向および異なるマッピング重みを有してもよい。図７Ａおよび図７Ｂにおいて、２つの偏光方向の角度は＋４５°と−４５°である。
【００９０】
具体的には、処理部２１は具体的には、仮想アンテナポートにマップされた送信対象データを仮想アンテナマッピング式（１）に基づいて物理アンテナポートにマップするように構成されている。
【００９１】
図７Ａおよび図７Ｂの例に対応する仮想アンテナマッピング式は、式（２）である。
【００９２】
送信部２２は、物理アンテナポートを使用して送信対象データを送信するように構成されている。
【００９３】
仮想アンテナポートから物理アンテナポートにマップされた後、送信対象データは物理アンテナポートから送出される。
【００９４】
本発明の実施形態に係るベースバンド処理装置によれば、複数のリモート無線ユニットが送信装置にスプライスされた後で、複数のリモート無線ユニット中の複数の送信アンテナが仮想アンテナマッピング技術を用いて送信装置の複数の物理アンテナにマップされ、送信信号が複数の物理アンテナに対応する複数の物理アンテナポートから送出される。
【００９５】
図９は、本発明の実施形態に係る別のベースバンド処理装置の概略構成図である。ベースバンド処理装置３０００は、プロセッサ３１および送信機３２を含む。
【００９６】
プロセッサ３１は、送信対象データに対しスクランブリング、変調、レイヤマッピング、および／またはプリコーディングした後、送信対象データを仮想アンテナポートにマップするように構成される。
【００９７】
プロセッサ３１はさらに、仮想アンテナマッピングにより物理アンテナポートに、仮想アンテナポートにマップされた送信対象データをマップするように構成されている。物理アンテナポートに対応するＮt’個の送信アンテナは、Ｍ個のリモート無線ユニットＲＲＵをスプライシングすることにより形成され、Ｍ個のＲＲＵは各々、Ｎt1からＮtm個の送信アンテナを含み、Ｎt’はＮt1からＮtmの和であり、Ｎt’とＮt1からＮtmは１より大きい正の整数である。
【００９８】
送信機３２は、物理アンテナポートを用いて送信対象データを送信するように構成されている。
【００９９】
実装において、プロセッサ３１は具体的には、以下の仮想アンテナマッピング式に基づいて、仮想アンテナポートにマップされた送信対象データを物理アンテナポートにマップする。  
Ｙj（ｎs、ｋ、ｌ）＝ｗm＊Ｘi（ｎs、ｋ、ｌ）
【０１００】
Ｙj（ｎs、ｋ、ｌ）は各物理アンテナポートから送信される信号であり、ｎsはＬＴＥフレーム構造のタイムスロット番号であり、ｋはサブキャリア番号であり、ｌはタイムスロット番号であり、ｗmはマッピングウェイトであり、Ｘi（ｎs、ｋ、ｌ）はＬＴＥのパイロットまたはデータである。
【０１０１】
本発明のこの実施形態で提供されるベースバンド処理装置によれば、複数のリモート無線ユニットが送信装置にスプライスされた後で、複数のリモート無線ユニットの複数の送信アンテナが仮想アンテナマッピング技術を用いて送信装置の複数の物理アンテナにマップされ、送信信号が複数の物理アンテナに対応する複数の物理アンテナポートから送出される。
【０１０２】
以上の実施形態においては、実施形態の記載は、それぞれ対応する点に焦点を置いている。実施形態において詳細に記載されていない部分については、他の実施形態における関連説明を参照されたい。
【０１０３】
本発明の実施形態での方法におけるステップは、実際の要件に応じて調整、組み合わせ、または削除し得る。
【０１０４】
本発明の実施形態における装置内のユニットは、実際の要件に応じて調整、組み合わせ、または削除し得る。当業者は、異なる実施形態および本明細書に記載された異なる実施形態の特徴を統合または合成し得る。
【０１０５】
以上の実装方法の説明によれば、当業者は、本発明がハードウェア、ファームウェア、またはそれらの組み合わせによって実現され得ることを明らかに理解し得る。本発明がソフトウェアによって実現されるとき、前述の機能は、コンピュータ可読媒体に格納されてもよく、またはコンピュータ可読媒体内の１つまたは複数の命令またはコードとして送信されてもよい。コンピュータ可読媒体は、コンピュータストレージ媒体および通信媒体を含み、通信媒体は、コンピュータプログラムが一の場所から他へと送信されることを可能にする任意の媒体を含む。ストレージ媒体は、コンピュータにアクセス可能な任意の利用可能な媒体であってもよい。以下に例を挙げるが、限定を課すものではない。コンピュータ可読媒体は、ランダムアクセスメモリ（Ｒａｎｄｏｍ  Ａｃｃｅｓｓ  Ｍｅｍｏｒｙ、ＲＡＭ）、読み出し専用メモリ（Ｒｅａｄ−Ｏｎｌｙ  Ｍｅｍｏｒｙ、ＲＯＭ）、電気的消去書込み可能な読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み出し専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、または他の光ディスクストレージ、ディスクストレージ媒体、もしくは他のディスクストレージ、または予想されるプログラムコードを命令またはデータ構造の形式で搬送または格納することができ、コンピュータによってアクセスされることができる任意の他の媒体を含み得る。さらに、任意の接続が、コンピュータ可読媒体として適切に規定され得る。例えば、同軸ケーブル、光ファイバケーブル、ツイストペア、デジタル加入者回線（Ｄｉｇｉｔａ  Ｓｕｂｓｃｒｉｂｅｒ  Ｌｉｎｅ、ＤＳＬ）、または赤外線、無線およびマイクロ波などの無線技術を使用して、ウェブサイト、サーバまたは別の遠隔ソースからソフトウェアが送信される場合、同軸ケーブル、光ファイバケーブル、ツイストペア、ＤＳＬ、または赤外線、無線およびマイクロ波などの無線技術は、それらが属する媒体の固定に含まれる。例えば、本発明で用いられるディスク（Ｄｉｓｋ）およびディスク（Ｄｉｓｃ）は、コンパクトディスク（ＣＤ）、レーザーディスク、光ディスク、デジタル多用途ディスク（ＤＶＤ）、フロッピーディスクおよびブルーレイディスクを含み、ｄｉｓｋは一般に磁気的手段によってデータをコピーし、ｄｉｓｃはレーザ手段によって光学的にデータをコピーする。前述の組み合わせはまた、コンピュータ可読媒体の保護範囲に包含されるべきである。
【０１０６】
結論として、前述の説明は、本発明の技術的解決策の実施形態の単なる例示であり、本発明の保護範囲を限定することを意図するものではない。本発明の精神および原理から逸脱することなくなされた任意の修正、同等の置換または改良は、本発明の保護範囲内に入るものとする。
【図１ａ】
2019515524.tif 000004
【図１ｂ】
2019515524.tif 000005
【図１ｃ】
2019515524.tif 000006
【図２】
2019515524.tif 000007
【図３】
2019515524.tif 000008
【図４ａ】
2019515524.tif 000009
【図４ｂ】
2019515524.tif 000010
【図４ｃ】
2019515524.tif 000011
【図４ｄ】
2019515524.tif 000012
【図４ｅ】
2019515524.tif 000013
【図４ｆ】
2019515524.tif 000014
【図５】
2019515524.tif 000015
【図６】
2019515524.tif 000016
【図７Ａ】
2019515524.tif 000017
【図７Ｂ】
2019515524.tif 000018
【図８】
2019515524.tif 000019
【図９】
2019515524.tif 000020
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
アンテナスプライシング方法であって、
Ｍ個のリモート無線ユニットＲＲＵを送信アンテナの数がＮt’個の送信装置にスプライシングするステップであり、前記Ｍ個のＲＲＵはそれぞれ、Ｎt1からＮtm個の送信アンテナを含み、Ｎt’は前記Ｎt1からＮtmの和であり、Ｎt’とＮt1からＮtmは１より大きい正の整数である、ステップと、
前記Ｍ個のＲＲＵをベースバンド処理装置に接続するステップと
を含む方法。
【請求項２】
前記Ｍ個のＲＲＵを送信アンテナの数がＮt’個の送信装置にスプライシングするステップは、
前記Ｍ個のＲＲＵを水平面上に並列に配置するステップ、または
前記Ｍ個のＲＲＵを垂直面上に並列に配置するステップ、または
前記Ｍ個のＲＲＵをＮ1行とＫ1列とを含む行列に配列するステップであり、Ｎ1とＫ1は正の整数であり、Ｍ＝Ｋ1×Ｎ1である、するステップ、または
前記Ｍ個のＲＲＵを三角形に配置するステップ、または
前記Ｍ個のＲＲＵを円形に配置するステップ
を含む、請求項１に記載の方法。
【請求項３】
前記Ｍ個のＲＲＵのアンテナ設置プラットフォームは同一平面上にある、請求項２に記載の方法。
【請求項４】
前記Ｍ個のＲＲＵの前記アンテナのダウンチルトは同じである、請求項２または３４に記載の方法。
【請求項５】
前記Ｎt1からＮtmの数が等しいまたは等しくない、請求項１に記載の方法。
【請求項６】
前記方法はさらに、
前記Ｍ個のＲＲＵに対してアップリンクとダウンリンクの相反性較正を実行し、較正ウエイトを取得してダウンリンク伝送遅延を揃えるステップを含む、請求項１に記載の方法。
【請求項７】
データ送信方法であって、
前記送信対象データに対しスクランブリング、変調、レイヤマッピング、および／またはプリコーディングを行った後で、送信対象データを仮想アンテナポートにマッピングするステップと、
前記仮想アンテナポートにマップされた前記送信対象データを仮想アンテナマッピングにより物理アンテナポートにマッピングするステップであり、前記物理アンテナポートに対応するＮt’個の送信アンテナは、Ｍ個のリモート無線ユニットＲＲＵをスプライシングすることにより形成され、前記Ｍ個のＲＲＵは各々、Ｎt1からＮtm個の送信アンテナを含み、Ｎt’は前記Ｎt1からＮtmの和であり、Ｎt’とＮt1からＮtmは１より大きい正の整数である、ステップと、
前記送信対象データを前記物理アンテナポートを用いて送信するステップと
を含む方法。
【請求項８】
前記仮想アンテナポートにマップされた前記送信対象データを仮想アンテナマッピングにより物理アンテナポートにマッピングする前記ステップは、
前記仮想アンテナポートにマップされた前記送信対象データを以下の仮想アンテナマッピング式に基づいて前記物理アンテナポートにマッピングするステップを含み、
Ｙj（ｎs、ｋ、ｌ）＝ｗm＊Ｘi（ｎs、ｋ、ｌ）
Ｙj（ｎs、ｋ、ｌ）は各物理アンテナポートから送信される信号であり、ｎsはＬＴＥフレーム構造のタイムスロット番号であり、ｋはサブキャリア番号であり、ｌはタイムスロット番号であり、ｗmはマッピングウェイトであり、Ｘi（ｎs、ｋ、ｌ）はＬＴＥのパイロットまたはデータである、請求項７に記載の方法。
【請求項９】
送信装置であって、前記送信装置はＭ個のリモート無線ユニットＲＲＵをスプライシングすることにより形成されるＮt’個の送信アンテナを含み、前記Ｍ個のＲＲＵは各々、Ｎt1からＮtm個の送信アンテナを含み、Ｎt’は前記Ｎt1からＮtmの和であり、Ｎt’とＮt1からＮtmは１より大きい正の整数であり、前記Ｍ個のＲＲＵはベースバンド処理装置に接続されている、送信装置。
【請求項１０】
前記Ｍ個のＲＲＵは水平面上に並列に配置される、または
前記Ｍ個のＲＲＵは垂直面上に並列に配置される、または
前記Ｍ個のＲＲＵはＮ1行とＫ1列とを含む行列に配列され、Ｎ1とＫ1は正の整数であり、Ｍ＝Ｋ1×Ｎ1である、または
前記Ｍ個のＲＲＵは三角形に配置される、または
前記Ｍ個のＲＲＵは円形に配置される、請求項９に記載の送信装置。
【請求項１１】
前記Ｍ個のＲＲＵのアンテナ設置プラットフォームは同一平面上にある、請求項１０に記載の送信装置。
【請求項１２】
前記Ｍ個のＲＲＵの前記アンテナのダウンチルトは同じである、請求項１０または１１に記載の送信装置。
【請求項１３】
前記Ｎt1からＮtmの数が等しいまたは等しくない、請求項９に記載の送信装置。
【請求項１４】
前記送信装置はさらに、
前記Ｍ個のＲＲＵに対してアップリンクとダウンリンクの相反性較正を実行し、較正ウエイトを取得してダウンリンク伝送遅延を揃えるように構成される較正部を含む、請求項９に記載の送信装置。
【請求項１５】
ベースバンド処理装置であって、
前記送信対象データに対しスクランブリング、変調、レイヤマッピング、および／またはプリコーディングを行った後で、送信対象データを仮想アンテナポートにマップするように構成される処理部であり、
前記処理部はさらに、前記仮想アンテナポートにマップされた前記送信対象データを仮想アンテナマッピングにより物理アンテナポートにマップするように構成され、前記物理アンテナポートに対応するＮt’個の送信アンテナは、Ｍ個のリモート無線ユニットＲＲＵをスプライシングすることにより形成され、前記Ｍ個のＲＲＵは各々、Ｎt1からＮtm個の送信アンテナを含み、Ｎt’は前記Ｎt1からＮtmの和であり、Ｎt’とＮt1からＮtmは１より大きい正の整数である、処理部と、
前記送信対象データを前記物理アンテナポートを用いて送信するように構成される送信部と
を含む装置。
【請求項１６】
前記処理部は具体的に、
前記仮想アンテナポートにマップされた前記送信対象データを以下の仮想アンテナマッピング式に基づいて前記物理アンテナポートにマップするように構成され、
Ｙj（ｎs、ｋ、ｌ）＝ｗm＊Ｘi（ｎs、ｋ、ｌ）
Ｙj（ｎs、ｋ、ｌ）は各物理アンテナポートから送信される信号であり、ｎsはＬＴＥフレーム構造のタイムスロット番号であり、ｋはサブキャリア番号であり、ｌはシンボルインデックスであり、ｗmはマッピングウェイトであり、Ｘi（ｎs、ｋ、ｌ）はＬＴＥのパイロットまたはデータである、請求項１５に記載の装置。
【請求項１７】
ベースバンド処理装置であって、前記装置はプロセッサおよび送信機を含み、
前記プロセッサは、送信対象データを前記送信対象データに対しスクランブリング、変調、レイヤマッピング、および／またはプリコーディングを行った後で、仮想アンテナポートにマップするように構成され、
前記プロセッサはさらに、前記仮想アンテナポートにマップされた前記送信対象データを仮想アンテナマッピングにより物理アンテナポートにマップするように構成され、前記物理アンテナポートに対応するＮt’個の送信アンテナは、Ｍ個のリモート無線ユニットＲＲＵをスプライシングすることにより形成され、前記Ｍ個のＲＲＵは各々、Ｎt1からＮtm個の送信アンテナを含み、Ｎt’は前記Ｎt1からＮtmの和であり、Ｎt’とＮt1からＮtmは１より大きい正の整数であり、
前記送信機は、前記送信対象データを前記物理アンテナポートを用いて送信するように構成される、装置。
【請求項１８】
前記プロセッサは具体的に、
前記仮想アンテナポートにマップされた前記送信対象データを以下の仮想アンテナマッピング式に基づいて前記物理アンテナポートにマップするように構成され、
Ｙj（ｎs、ｋ、ｌ）＝ｗm＊Ｘi（ｎs、ｋ、ｌ）
Ｙj（ｎs、ｋ、ｌ）は各物理アンテナポートから送信される信号であり、ｎsはＬＴＥフレーム構造のタイムスロット番号であり、ｋはサブキャリア番号であり、ｌはシンボルインデックスであり、ｗmはマッピングウェイトであり、Ｘi（ｎs、ｋ、ｌ）はＬＴＥのパイロットまたはデータである、請求項１７に記載の装置。
【請求項１９】
請求項１から６のいずれか１つに記載された方法をコンピュータに実行させるプログラム。
【請求項２０】
請求項７または８に記載された方法をコンピュータに実行させるプログラム。
【国際調査報告】
2019515524.tif 000021
2019515524.tif 000022
2019515524.tif 000023
2019515524.tif 000024
2019515524.tif 000025